(57)【要約】 【課題】個人情報にその一部として画像を付加する際に、多数の画像が保存されていてもその中から好みの画像を効率良く選択して付加できるようにする。 【解決手段】インカメラ６によって自己を撮影した自分撮り画像を自己フォルダに記録保存し、アウトカメラ８によって他人を撮影した他人撮り画像を人物フォルダに記録保存することによって自分撮り画像と他人撮り画像とが識別可能に記憶管理されている状態において、ＣＰＵ１１は、自己のプロフィール情報ＰＦに「画像」を付加する際に、自己フォルダ内の各自分撮り画像（自己画像）をそれぞれ読み出して選択候補として一覧表示させると共に、この一覧画面の中から任意に選択された自己画像をプロフィール情報ＰＦに付加する。 【選択図】  図1
2008034997.tif 000002
【特許請求の範囲】
【請求項１】
カメラを備えた携帯端末装置であって、
撮影者側を内側として撮影した内撮影画像と撮影者の反対側を外側として撮影した外撮影画像とを識別可能に記憶管理する画像記憶手段と、
自己の個人情報を記憶管理する個人情報記憶手段と、
前記個人情報に画像を付加する際に、前記内撮影画像をそれぞれ読み出して選択候補として表示する表示手段と、
前記選択候補の中から任意に選択された内撮影画像を前記個人情報に付加する付加手段と、
を具備したことを特徴とする携帯端末装置。
【請求項２】
装置本体を構成する表示部筐体の表示面が撮影者に対面している状態において、撮影方向が撮影者に向くように表示部筐体の内面側に配置された第１のカメラと、撮影方向が撮影者の反対側を向くように表示部筐体の外面側に配置された第２のカメラとを備え、
前記画像記憶手段は、前記第１のカメラによって撮影された自分撮り画像を前記内撮影画像とし、前記第２のカメラによって撮影された画像のうち所定条件下で撮影された他人撮り画像を前記外撮影画像として識別可能に記憶管理する、
ようにしたことを特徴とする請求項1記載の携帯端末装置。
【請求項３】
撮影方向が適宜変更可能となるように装置本体に取り付けられた単一のカメラを備え、
このカメラの撮影方向を判別する判別手段を設け、
前記画像記憶手段は、前記判別手段によって判別された撮影方向が識別可能となるように前記カメラによって撮影された各画像を記憶管理する、
ようにしたことを特徴とする請求項1記載の携帯端末装置。
【請求項４】
前記単一のカメラは、装置本体に対して回動可能に取り付けられており、
前記判別手段は、カメラのレンズ系が撮影者に向く撮影方向と撮影者の反対側を向く撮影方向とを判別する、
ようにしたことを特徴とする請求項３記載の携帯端末装置。
【請求項５】
前記自己の個人情報のほか、他人の個人情報を記憶管理している状態において、この他人の個人情報に画像を付加する際に、前記外撮影画像をそれぞれ読み出して選択候補として表示すると共に、この選択候補の中から任意に選択された外撮影画像を前記個人情報に付加する、
ようにしたことを特徴とする請求項1記載の携帯端末装置。
【請求項６】
カメラを備えた携帯端末装置であって、
他人の個人情報を記憶管理する個人情報記憶手段と、
カメラ撮影時に人物を被写体として撮影する人物撮影条件が設定されたか否かを判別する判別手段と、
この判別手段によって人物撮影条件が設定されていることが判別された場合に、この撮影条件によって撮影された人物画像とそれ以外の撮影条件によって撮影された画像とを識別可能に記憶管理する画像記憶手段と、
前記個人情報に画像を付加する際に、前記人物画像をそれぞれ読み出して選択候補として表示する表示手段と、
前記選択候補の中から任意に選択された人物画像を前記個人情報に付加する付加手段と、
を具備したことを特徴とする携帯端末装置。
【請求項７】
自動焦点調節機能付きカメラでの撮影時に、被写体までの焦点距離が人物撮影に適した距離範囲内に調整された際に、前記判別手段は、人物撮影条件に設定されたと判別する、
ようにしたことを特徴とする請求項６記載の携帯端末装置。
【請求項８】
予め撮影シーン毎にそのシーンを撮影するに適した撮影パラメータが設定されている状態において、被写体を人物とする撮影シーンが選択された際に、前記判別手段は、人物撮影条件に設定されたと判別する、
ようにしたことを特徴とする請求項６記載の携帯端末装置。
【請求項９】
コンピュータに対して、
撮影者側を内側として撮影した内撮影画像と撮影者の反対側を外側として撮影した外撮影画像とを識別可能に記憶管理する機能と、
自己の個人情報を記憶管理する機能と、
前記個人情報に画像を付加する際に、前記内撮影画像をそれぞれ読み出して選択候補として表示する機能と、
前記選択候補の中から任意に選択された内撮影画像を前記個人情報に付加する機能と、
を実現させるためのプログラム。
【請求項１０】
コンピュータに対して、
他人の個人情報を記憶管理する機能と、
カメラ撮影時に人物を被写体として撮影する人物撮影条件が設定されたか否かを判別する機能と、
人物撮影条件が設定されていることが判別された場合に、この撮影条件によって撮影された人物画像とそれ以外の撮影条件によって撮影された画像とを識別可能に記憶管理する機能と、
前記個人情報に画像を付加する際に、前記人物画像をそれぞれ読み出して選択候補として表示する機能と、
前記選択候補の中から任意に選択された人物画像を前記個人情報に付加する機能と、
を実現させるためのプログラム。
【発明の詳細な説明】
【技術分野】
【０００１】
この発明は、カメラを備えた携帯端末装置及びプログラムに関する。
【背景技術】
【０００２】
従来、カメラを備えた携帯端末装置としては、例えば、自分撮り用のカメラと他人撮り用のカメラを備えたカメラ付き携帯電話装置が知られている（特許文献１参照）。また、電話帳データとして相手の個人情報（文字情報）にその顔画像を付加して記憶するようにした携帯端末装置が知られている（特許文献２参照）。この場合、先行技術（特許文献２）では、相手の個人情報にその画像を付加するようにしているが、自己のプロフィール情報（個人情報）にその画像を付加する場合には、先行技術（特許文献１）で示した自分撮り用のカメラを用いて自己の顔を撮影すればよい。
【特許文献１】特開２００４−１８０１０７号公報
【特許文献２】特開２０００−０９２１８４号公報
【発明の開示】
【発明が解決しようとする課題】
【０００３】
ところで、自分の個人情報、相手の個人情報に画像を付加する際には、予め撮影して保存しておいた多数の保存画像の中から好みの画像を任意に選択して個人情報内に付加するようにしているが、保存されている画像数が多くなればなるほど、その選別に時間と労力が必要となる。
【０００４】
この発明の課題は、個人情報に画像を付加する際に、多数の画像が保存されていてもその中から好みの画像を効率良く選択して付加できるようにすることである。
【課題を解決するための手段】
【０００５】
請求項１記載の発明（第１の発明）は、カメラを備えた携帯端末装置であって、撮影者側を内側として撮影した内撮影画像と撮影者の反対側を外側として撮影した外撮影画像とを識別可能に記憶管理する画像記憶手段と、自己の個人情報を記憶管理する個人情報記憶手段と、前記個人情報に画像を付加する際に、前記内撮影画像をそれぞれ読み出して選択候補として表示する表示手段と、前記選択候補の中から任意に選択された内撮影画像を前記個人情報に付加する付加手段とを具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次のようなものであってもよい。
装置本体を構成する表示部筐体の表示面が撮影者に対面している状態において、撮影方向が撮影者に向くように表示部筐体の内面側に配置された第１のカメラと、撮影方向が撮影者の反対側を向くように表示部筐体の外面側に配置された第２のカメラとを備え、前記画像記憶手段は、前記第１のカメラによって撮影された自分撮り画像を前記内撮影画像とし、前記第２のカメラによって撮影された画像のうち所定条件下で撮影された他人撮り画像を前記外撮影画像として識別可能に記憶管理する（請求項２記載の発明）。
【０００７】
撮影方向が適宜変更可能となるように装置本体に取り付けられた単一のカメラを備え、このカメラの撮影方向を判別する判別手段を設け、前記画像記憶手段は、前記判別手段によって判別された撮影方向が識別可能となるように前記カメラによって撮影された各画像を記憶管理する（請求項３記載の発明）。
この場合、前記単一のカメラは、装置本体に対して回動可能に取り付けられており、前記判別手段は、カメラのレンズ系が撮影者に向く撮影方向と撮影者の反対側を向く撮影方向とを判別するようにしてもよい（請求項４記載の発明）。
【０００８】
前記自己の個人情報のほか、他人の個人情報を記憶管理している状態において、この他人の個人情報に画像を付加する際に、前記外撮影画像をそれぞれ読み出して選択候補として表示すると共に、この選択候補の中から任意に選択された外撮影画像を前記個人情報に付加する（請求項５記載の発明）。
【０００９】
請求項６記載の発明（第２の発明）は、カメラを備えた携帯端末装置であって、他人の個人情報を記憶管理する個人情報記憶手段と、カメラ撮影時に人物を被写体として撮影する人物撮影条件が設定されたか否かを判別する判別手段と、この判別手段によって人物撮影条件が設定されていることが判別された場合に、この撮影条件によって撮影された人物画像とそれ以外の撮影条件によって撮影された画像とを識別可能に記憶管理する画像記憶手段と、前記個人情報に画像を付加する際に、前記人物画像をそれぞれ読み出して選択候補として表示する表示手段と、前記選択候補の中から任意に選択された人物画像を前記個人情報に付加する付加手段とを具備したことを特徴とする。
更に、コンピュータに対して、上述した請求項６記載の発明に示した主要機能を実現させるためのプログラムを提供する（請求項１０記載の発明）。
【００１０】
なお、上述した請求項６記載の発明は次のようなものであってもよい。
自動焦点調節機能付きカメラでの撮影時に、被写体までの焦点距離が人物撮影に適した距離範囲内に調整された際に、前記判別手段は、人物撮影条件に設定されたと判別する（請求項７記載の発明）。
【００１１】
予め撮影シーン毎にそのシーンを撮影するに適した撮影パラメータが設定されている状態において、被写体を人物とする撮影シーンが選択された際に、前記判別手段は、人物撮影条件に設定されたと判別する（請求項８記載の発明）。
【発明の効果】
【００１２】
第１の発明は、撮影者側を内側として撮影した内撮影画像と撮影者の反対側を外側として撮影した外撮影画像とを識別可能に記憶管理しておき、自己の個人情報に画像を付加する際には、各内撮影画像を読み出して選択候補として表示させ、その中から任意に選択された画像を付加することにより、多数の画像が保存されていてもその中から好みの画像を効率良く選択して付加することができ、ユーザの負担を大幅に軽減することが可能となる。
【００１３】
第２の発明は、人物撮影条件によって撮影された人物画像とそれ以外の撮影条件によって撮影された画像とを識別可能に記憶管理しておき、他人の個人情報に画像を付加する際に、各人物画像を読み出して選択候補として表示させ、その中から任意に選択された画像を付加することにより、多数の画像が保存されていてもその中から好みの画像を効率良く選択して付加することができ、ユーザの負担を大幅に軽減することが可能となる。
【発明を実施するための最良の形態】
【００１４】
（実施例１）
以下、図１〜図９を参照して本発明の第１実施例を説明する。
この実施例は、携帯端末装置として携帯電話装置に適用した場合を例示したもので、図１は、この携帯電話装置の外観斜視図で、（Ａ）は、折畳型の装置本体を開いた状態においてユーザ（撮影者）側から見た図であり、（Ｂ）は、撮影者の反対側から見た図である。この携帯電話装置は、２つの筐体から構成されており、表示部筐体１と操作部筐体２をヒンジ部３で開閉可能に連結した折畳型の装置本体であり、この装置本体を開いた状態において、操作部筐体２にはキー操作部４が配置されている。
【００１５】
また、図１（Ａ）に示すように、表示部筐体１の正面側にはメイン表示部５が配置されているほか、インカメラ６が配置されている。また、表示部筐体１の背面側にはサブ表示部７が配置されているほか、アウトカメラ８が配置されている。すなわち、表示部筐体１のメイン表示部５が撮影者に対面している状態において、インカメラ６はその撮影方向がユーザ（撮影者）側に向くように配置されており、アウトカメラ８はその撮影方向がユーザの反対側に向くように配置されている。
【００１６】
図２は、携帯電話装置の基本的な構成要素を示したブロック図である。
この携帯電話装置には、通話機能、電子メール機能、インターネット接続機能（Ｗｅｂアクセス機能）などのほか、カメラ機能が備えられている。ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図６〜図９に示す動作手順に応じて本実施例を実現するためのプログラムが格納されている。また、記憶部１２のデータ領域には、後述するフォトフォルダＦＦ、プロフィール情報ＰＦ、アドレス帳ＡＤなどが格納されている。記録メディア１３は、着脱自在な可搬型メモリで、各種のデータ・プログラムを外部供給するもので、例えば、スマートメディア、ＩＣカードなどによって構成されている。メモリ１４は、ワーク領域を有する内部メモリであり、必要に応じてメモリ１４内の各種のデータは、記憶部１２にセーブされる。
【００１７】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、電子メール機能、インターネット接続機能によって電話通信部１５を介して受信取得した表示データは、表示制御部１９を介してＬＣＤ（液晶表示装置）などのメイン表示部５に与えられて表示出力される。
【００１８】
メイン表示部５は、文字、画像などを高品位に表示するのものであり、サブ表示部７は、現在日時、簡易なメッセージ、アイコンなどを表示する。キー操作部４は、ダイヤル入力、文字入力、コマンド入力などを行うもので、カメラ撮影を開始させるシャッターボタンなどが設けられており、ＣＰＵ１１は、キー操作部４からのキー入力信号に応じた処理を実行する。報知部２０は、着信報知などの報知用のスピーカ、ＬＥＤ(発光ダイオード)、振動モータを備え、電話・メール着信時に駆動されて着信報知を行うほか、アラーム報知時にも駆動される。
【００１９】
インカメラ６は、自己の顔など、撮影者側（内側）を撮影する自分撮り用のカメラ撮像部であり、また、アウトカメラ８は、撮影者の反対側（外側）を撮影する相手撮り用のカメラ撮像部であり、撮影レンズ、ミラー等のレンズ・ミラーブロック、撮像素子、その駆動系のほか、測距センサ、光量センサ、アナログ処理回路、信号処理回路、圧縮伸張回路などを備え、光学ズームを調整制御したり、オートフォーカス（自動焦点調整機能）時の駆動制御、シャッター駆動制御、露出、ホワイトバランス等を制御する。この場合、風景、人物など、被写体の種類に応じて撮影モードを自動的に最適化するために予め撮影シーン毎にそのシーンを撮影するに適した撮影パラメータが設定されており、被写体に応じて任意の撮影シーン（撮影モード）が選択された際に、ＣＰＵ１１は、選択シーン対応の撮影パラメータをインカメラ６あるいはアウトカメラ８に設定するようにしている。なお、撮影パラメータとして、ＣＰＵ１は、“シャッター速度”、”絞り調整値”、“色補正値”、“焦点調整値”、“露出補正値”などを設定するようにしている。
【００２０】
図３は、フォトフォルダＦＦを説明するための図である。
フォトフォルダＦＦは、インカメラ６あるいはアウトカメラ８によって撮影された画像を１画像１ファイル形式で記憶保存するフォルダであり、自己フォルダＦＦ１、人物フォルダＦＦ２、一般フォルダＦＦ３を有する構成となっている。すなわち、インカメラ６によって撮影者側を内側として撮影した内撮影画像と撮影者の反対側を外側として撮影した外撮影画像とを識別可能に記憶管理するほか、被写体を人物とする外撮影画像とそれ以外の外撮影画像とを識別可能に記憶管理するために、自己フォルダＦＦ１、人物フォルダＦＦ２、一般フォルダＦＦ３を有している。
【００２１】
自己フォルダＦＦ１は、インカメラ６によって撮影された自分撮り画像（自己画像）を記憶保存するフォルダである。人物フォルダＦＦ２及び一般フォルダＦＦ３は、アウトカメラ８によって撮影された外撮影画像を記憶保存するもので、人物フォルダＦＦ２は、所定の撮影条件で人物（他人）を撮影した他人撮り画像（人物画像）を記憶保存するフォルダであり、一般フォルダＦＦ３は、アウトカメラ８によって所定の撮影条件以外で撮影した画像（人物、風景などの画像）を記憶保存するフォルダである。ここで、所定の撮影条件は、アウトカメラ８によって人物（他人）の顔を撮影するのに適した人物撮影条件を示し、被写体までの焦点距離が人物の顔を撮影するのに適した距離（例えば、５０ｃｍ〜２ｍ以内）に調整されている場合、あるいは被写体に応じた撮影シーン（撮影モード）の中から人物撮影に適した「人物モード」が選択されている場合に、ＣＰＵ１１は、所定の撮影条件が成立したものと判断し、アウトカメラ８によって撮影された画像の振り分け先として人物フォルダＦＦ２を指定する。
【００２２】
図４は、プロフィール情報ＰＦを説明するための図である。
プロフィール情報ＰＦは、ユーザ自身（本人）の「名前」、「電話番号」、「メールアドレス」、「会社名」、「生年月日」の文字情報に、ユーザの顔を撮影した「画像」を付加した構成となっている。この「名前」、「電話番号」、「メールアドレス」、「会社名」、「生年月日」の文字情報は、キー操作部２４から入力されたデータ、記録メディア１３などから外部供給されたデータであり、「画像」は、自己フォルダＦＦ１から読み出された画像である。このプロフィール情報ＰＦに「画像」を付加する際に、ＣＰＵ１１は、予めインカメラ６によって撮影された画像群を自己フォルダＦＦ１から読み出して選択候補として一覧表示させ、その中から任意に選択された画像をプロフィール情報ＰＦの所定の項目位置に付加するようにしている。
【００２３】
図５は、アドレス帳ＡＤを説明するための図である。
アドレス帳ＡＤは、相手先別にそのアドレス帳データを記憶管理するもので、各レコードは、「名前」、「電話番号」、「メールアドレス」の文字情報に、相手の顔を撮影した「画像」を付加した構成となっている。この「名前」、「電話番号」、「メールアドレス」の文字情報は、キー操作部２４から入力されたデータ、記録メディア１３などから外部供給されたデータであり、「画像」は、人物フォルダＦＦ２から読み出された画像である。このアドレス帳ＡＤに「画像」を付加する際に、ＣＰＵ１１は、予めアウトカメラ８によって撮影された画像群を人物フォルダＦＦ２から読み出して選択候補として一覧表示させ、その中から任意に選択された画像をアドレス帳レコードの所定の項目位置に付加するようにしている。
【００２４】
次にこの第１実施例における携帯電話装置の動作概念を図６〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２５】
図６〜図９は、電源投入に伴って実行開始される携帯電話装置の全体動作を示したフローチャートである。
先ず、ＣＰＵ１１は、電話通信部１５を作動させて現在位置を登録する待受処理を行うと共に（図６のステップＡ１）、所定の待受画像を読み出して表示出力させながら待受状態となる（ステップＡ２）。この状態において、通話着信有りを検出すると（ステップＡ２でＹＥＳ）、その発信元の電話番号がアドレス帳ＡＤに登録されているかを調べる（ステップＡ３）。ここで、発信元の電話番号がアドレス帳ＡＤに登録されていれば、その相手の電話番号に対応する「名前」を読み出して表示出力させるが（ステップＡ４）、未登録であれば（ステップＡ３でＮＯ）、発信元の電話番号をメイン表示部５あるいはサブ表示部７に表示出力させる（ステップＡ５）。そして、着信メロディなどを発生出力させて着信報知を行うと共に、着信通話処理を実行する(ステップＡ６)。
【００２６】
また、待受状態において何らかの操作が行われた場合に（ステップＡ７でＹＥＳ）、それは、カメラを起動させる指示操作かを調べ（ステップＡ８）自己のプロフィール情報ＰＦをオープンさせる指示操作か（ステップＡ９）、アドレス帳ＡＤをオープンさせる指示操作かを調べる（ステップＡ１０）。それ以外の操作であれば（ステップＡ１０でＮＯ）、操作対応の他の処理として、例えば、通話発信処理、メール作成処理、メール送信処理などを実行したのち（ステップＡ１１）、待受状態に戻る（ステップＡ１）。
【００２７】
いま、カメラ起動が指示された場合には（ステップＡ８でＹＥＳ）、図７のフローに移り、カメラ撮影保存処理を実行する。先ず、ＣＰＵ１１は、インカメラ６に対して起動が指示されたかを調べ（ステップＡ１２）、インカメラ６に対する起動指示であれば、インカメラ６を起動させたのち（ステップＡ１３）、折畳型の装置本体を開いた状態において、インカメラ６のモニタ画像をメイン表示部５に表示出力させる（ステップＡ１４）。ここで、撮影者はモニタ画面で自己の顔などの写り具合を確認しながらシャッターボタンを操作する。このシャッター操作に応答して（ステップＡ１５でＹＥＳ）、インカメラ６による画像撮影が行われると（ステップＡ１６）、ＣＰＵ１１は、インカメラ６によって撮影された画像を取得して画像ファイル化したのち（ステップＡ１７）、自己フォルダＦＦ１に記録保存させる（ステップＡ１８）。以下、撮影終了が指示されるまで（ステップＡ１９）、上述のステップＡ１４に戻り、同様の動作が繰り返される結果、自己フォルダＦＦ１には自己の顔画像が順次保存される。
【００２８】
また、アウトカメラ８に対する起動指示であれば（ステップＡ１２でＮＯ）、アウトカメラ８を起動させたのち（ステップＡ２０）、折畳型の装置本体を開いた状態において、アウトカメラ８のモニタ画像をメイン表示部５に表示出力させながら（ステップＡ２１）、オートフォーカスを駆動する（ステップＡ２２）。ここで、シャッターボタンが操作されたか（ステップＡ２３）、撮影モードの選択を指示する操作が行われたかを調べる（ステップＡ３１）。いま、撮影モード選択が指示された場合には、各種の撮影モードをメニュー表示させる（ステップＡ３２）。そして、このメニュー画面の中から今回の撮影に適した撮影モードが選択されると（ステップＡ３３）、この選択モード対応の撮影パラメータを今回の撮影条件として設定する（ステップＡ３４）。
【００２９】
ここで、シャッターボタンが操作されると（ステップＡ２３）、それに応答してアウトカメラ８が作動して現在設定中の撮影パラメータに従った画像撮影が行われる（ステップＡ２４）。ここで、ＣＰＵ１１は、アウトカメラ８によって撮影された画像を取得して画像ファイル化したのち（ステップＡ２５）、撮影モードとして「人物モード」が選択されているかを調べ（ステップＡ２６）、「人物モード」が選択されていることを条件に、今回の画像ファイルを人物フォルダＦＦ２に記録保存させる（ステップＡ３０）。
【００３０】
また、「人物モード」以外の撮影モードが選択されている場合において（ステップＡ２６でＮＯ）、オートフォーカスの焦点距離は、アウトカメラ８によって人物（他人）の顔を撮影するのに適した距離（人物撮影条件）に適合しているか否かをチェックする（ステップＡ２７）。いま、オートフォーカス焦点距離が人物の顔を撮影するのに適した距離（例えば、５０ｃｍ〜２ｍ以内）に調整されていれば、人物撮影条件に適合しているものとして、今回の画像ファイルを人物フォルダＦＦ２に記録保存させる（ステップＡ３０）。
【００３１】
すなわち、「人物モード」以外の撮影モードが選択されていても焦点距離が人物撮影条件に適合していれば、今回の画像ファイルを人物フォルダＦＦ２に記録保存させるが（ステップＡ３０）、焦点距離が人物撮影条件に適合していなければ（ステップＡ２７でＮＯ）、今回の画像ファイルを一般フォルダＦＦ３に記録保存させる（ステップＡ２８）。以下、撮影終了が指示されるまで（ステップＡ２９）、上述のステップＡ２１に戻り、同様の動作が繰り返される結果、アウトカメラ８によって撮影された画像は、人物撮影条件の成立有無に応じて人物フォルダＦＦ２あるいは一般フォルダＦＦ３に振り分け保存される。
【００３２】
一方、待受状態において自己のプロフィール情報ＰＦのオープン操作が行われた場合には（図６のステップＡ９でＹＥＳ）、図８のフローに移り、プロフィール情報処理を実行する。先ず、ＣＰＵ１１は、自己のプロフィール情報ＰＦを読み出して表示出力させたのち（ステップＡ３５）、操作待ち状態となる（ステップＡ３６）。ここで、プロフィール情報の編集を指示する指示操作が行われると（ステップＡ３７でＹＥＳ）、その編集内容として画像の貼り付けが指示されたかを調べ（ステップＡ３８）、それ以外の編集が指示された場合、例えば、自己の「電話番号」、「メールアドレス」の変更、追加、削除などが指示された場合には、その指示に応じて他の編集処理を実行したのち（ステップＡ４３）、この編集内容に応じてプロフィール情報（自己の個人情報）ＰＦを更新する（ステップＡ４２）。
【００３３】
また、プロフィール情報ＰＦへの画像貼り付けが指示されたときには（ステップＡ３８でＹＥＳ）、自己フォルダＦＦ１をアクセスしてオープンさせたのち（ステップＡ３９）、この自己フォルダＦＦ１に保存されている各画像（自分の顔を撮影した自己画像）を読み出してサムネイル一覧表示させる（ステップＡ４０）。そして、この一覧画面の中から任意の自己画像が選択指定されると（ステップＡ４１）、この自己画像をプロフィール情報ＰＦに挿入付加することによって自己の個人情報を更新する（ステップＡ４２）。これによってプロフィール情報ＰＦには、新たな画像が新規付加されたり、既に付加されている画像が変更される。
【００３４】
なお、プロフィール情報表示時の操作待ち状態においては、編集操作以外の操作として、プロフィール情報処理の終了を指示する終了操作が行われたかを調べ（ステップＡ４４）、この終了操作が行われた場合には、待受状態に戻るが（図６のステップＡ１）、編集操作、終了操作以外の他の操作が行われた場合には（ステップＡ４４でＮＯ）、他の操作対応処理として、例えば、プロフィール情報ＰＦを相手先に自己紹介用のデータとして送信する処理などを実行する（ステップＡ４５）。
【００３５】
また、待受状態においてアドレス帳ＡＤのオープン操作が行われた場合には（図６のステップＡ１０でＹＥＳ）、図９のフローに移り、アドレス帳処理を実行する。先ず、ＣＰＵ１１は、アドレス帳ＡＤをアクセスしてオープンさせたのち（図７のステップＡ４６）、各レコードから「名前」を読み出して一覧表示させる（ステップＡ４７）。この名前一覧画面の中から任意の「名前」が選択指定されると（ステップＡ４８）、ＣＰＵ１１は、この相手の個人情報「名前」、「電話番号」、「メールアドレス」、「画像」をアドレス帳ＡＤから読み出して個人詳細情報として表示出力させたのち（ステップＡ４８）、操作待ち状態となる（ステップＡ５０）。
【００３６】
この状態において、このアドレス帳データ（個人情報）の編集を指示する編集操作が行われると（ステップＡ５１）、その編集内容として画像の貼り付けが指示されたかを調べ（ステップＡ５２）、それ以外の編集が指示された場合、例えば、「電話番号」、「メールアドレス」の変更、追加、削除などが指示された場合には、他の編集処理を実行したのち（ステップＡ５７）、この編集内容に応じて当該アドレス帳データ（個人情報）を更新する（ステップＡ５６）。
【００３７】
また、画像の貼り付けが指示されたときには（ステップＡ５２でＹＥＳ）、人物フォルダＦＦ２をアクセスしてオープンさせたのち（ステップＡ５３）、この人物フォルダＦＦ２に保存されている各画像（他人の顔を撮影した人物画像）を読み出してサムネイル一覧表示させる（ステップＡ５４）。この一覧画面の中から任意の人物画像が選択指定されると（ステップＡ５５）、この人物画像を編集対象のアドレス帳データに挿入付加することによって当該個人情報を更新する（ステップＡ５６）。これによって編集対象の個人情報（アドレス帳データ）には、新たな画像が新規付加されたり、既に付加されている画像が変更される。
【００３８】
また、操作待ち状態においては、編集操作以外の操作として、アドレス帳処理の終了を指示する終了操作が行われたか（ステップＡ５８）、戻り操作が行われたかをチェックし（ステップＡ５９）、終了操作が行われた場合には（ステップＡ５８でＹＥＳ）、待受状態に戻るが（図６のステップＡ１）、戻り操作が行われた場合には、ステップＡ４６に戻り、以下、名前一覧画面の中から任意の「名前」が選択されると、名前一覧画面から個人情報画面に切り替えたのち、編集操作に応答して上述の編集処理を実行するが、編集操作、終了操作、戻り操作以外の操作が行われた場合には（ステップＡ５９でＮＯ）、操作対応処理として、例えば、電話発信処理、メール送信処理などを実行する（ステップＡ６０）。
【００３９】
以上のように、この第１実施例においては、インカメラ６によって自己を撮影した自己画像を自己フォルダＦＦ１に記録保存し、アウトカメラ８によって他人を撮影した人物画像を人物フォルダＦＦ２に記録保存することによって自己画像と他人の画像（人物画像）とが識別可能に記憶管理されている状態において、ＣＰＵ１１は、自己のプロフィール情報ＰＦに「画像」を付加する際に、自己フォルダＦＦ１内の各自己画像をそれぞれ読み出して選択候補として一覧表示させると共に、この一覧画面の中から任意に選択された自己画像をプロフィール情報ＰＦに付加することにより、フォトフォルダＦＦ内に多数の画像が保存されていても好みの自己画像を効率良く選択して付加することができ、作業の合理化によってユーザの負担を大幅に軽減することが可能となる。
【００４０】
また、ＣＰＵ１１は、アウトカメラ８での撮影時に、人物を被写体として撮影する人物撮影条件が設定されたか否かを判別し、人物撮影条件が設定されていれば、この人物撮影条件によって撮影された人物画像を人物フォルダＦＦ２に記録保存し、それ以外の撮影条件によって撮影された画像を一般フォルダＦＦ３に記録保存することによって人物撮影条件によって撮影された画像とそれ以外の撮影条件によって撮影された画像とが識別可能に記憶管理されている状態において、アドレス帳ＡＤ内の他人の個人情報（アドレス帳データ）に「画像」を付加する際に、人物フォルダＦＦ２内の各人物画像をそれぞれ読み出して選択候補として一覧表示させ、この一覧画面の中から任意に選択された人物画像をアドレス帳データに付加することにより、フォトフォルダＦＦ内に多数の画像が保存されていても好みの人物画像を効率良く選択して付加することができ、作業の合理化によってユーザの負担を大幅に軽減することが可能となる。
【００４１】
ここで、アウトカメラ８の撮影時に、オートフォーカスの焦点距離が人物の顔を撮影するのに適した距離（例えば、５０ｃｍ〜２ｍ以内）に調整されている場合、あるいは被写体に応じた撮影シーン（撮影モード）の中から人物撮影に適した「人物モード」が選択されている場合に、ＣＰＵ１１は、人物撮影条件が成立したものと判断し、アウトカメラ８によって撮影された画像を人物フォルダＦＦ２に振り分けることができる。
【００４２】
なお、上述した第１実施例においては、アウトカメラ８の撮影時に、オートフォーカスの焦点距離が５０ｃｍ〜２ｍ以内に調整されていれば、人物撮影したものと判断して、その撮影画像を人物フォルダＦＦ２に保存するようにしたが、オートフォーカスの焦点距離が５０ｃｍ〜２ｍ以内の場合には、その画像を解析することによって被写体部分を特定し、被写体が人物であることを認識したうえで、その画像を人物フォルダＦＦ２に保存するようにしてもよい。
（実施例２）
【００４３】
以下、この発明の第２実施例について図１０〜図１４を参照して説明する。
なお、上述した第１実施例においては、インカメラ６とアウトカメラ８を設けたが、この第２実施例においては、単一のカメラをその撮影方向に応じてインカメラとして機能させたり、アウトカメラとして機能させることで、自己と他人の双方を撮影可能としたものである。また、上述した第１実施例においては、フォトフォルダＦＦ内に設けた３つのフォルダ（自己フォルダＦＦ１、人物フォルダＦＦ２、一般フォルダＦＦ３）に画像を振り分けて保存するようにしたが、第２実施例においては、一台のカメラによって撮影された全ての画像をフォトフォルダＦＦに一括して保存するようにしたものである。この場合、カメラの撮影方向が識別可能となるように各画像を記憶管理するようにしている。
ここで、両実施例において基本的あるいは名称的に同一のものは、同一符号を付して示し、その説明を省略すると共に、以下、第２実施例の特徴部分を中心に説明するものとする。
【００４４】
図１０は、携帯電話装置の外観斜視図で、折畳型の装置本体を開いた状態においてユーザ（撮影者）側から見た図である。
表示部筐体１の上端部（ヒンジ部３の反対側端部）において、その中央部にはカメラ収納用の切欠部１ａが形成されている。この切欠部１ａ内に単一のカメラ（回動カメラ）２１が回動可能に軸支されている。すなわち、回動カメラ２１の両サイドに設けられた横軸（図示せず）が切欠部１ａの端面に形成された支持穴部（図示せず）に回動可能に挿入されている。そして、折畳型の装置本体を開いている状態（表示部筐体１の表示面が撮影者に対面している状態）において、回動カメラ２１の撮影方向（レンズ系）が撮影者側に向いたり、撮影者の反対側を向くように１８０°回動可能に軸支されている。
【００４５】
この場合、回動カメラ２１は、その撮影方向が撮影者側に向いているときには、上述したインカメラと同様に機能し、撮影者の反対側に向いているときには、上述したアウトカメラと同様に機能する。この回動カメラ２１の向きは、マイクロスイッチなどのスイッチ手段のＯＮ／ＯＦＦによって検出される。すなわち、回動カメラ２１の近傍には、その向きを検出する向き検出部が設けられており、その検出信号はＣＰＵ１１に与えられる。ＣＰＵ１１は、この向き検出部からの検出信号に基づいて回動カメラ２１がインカメラあるいはアウトカメラとして機能しているかを判別し、それに応じた処理を実行する。なお、回動カメラ２１がインカメラとして機能する場合でのカメラの向きを「ＩＮ」、アウトカメラとして機能する場合でのカメラの向きを「ＯＵＴ」と呼称する。
【００４６】
図１１は、第２実施例のフォトフォルダＦＦ及びそれに保存されている画像ファイルＧＦを説明するための図である。
フォトフォルダＦＦは、単一の回動カメラ２１によって撮影された全ての画像を１画像１ファイル形式で一括保存するもので、自己の顔を撮影した自己画像か他人の顔を撮影した人物画像かに拘らず、全ての撮影画像は、このフォトフォルダＦＦに保存される。画像ファイルＧＦには、そのファイル属性として回動カメラ２１の向きが「ＩＮ」の場合に、そのカメラ向きで撮影した画像であることを示す「ＩＮフラグ」がセットされる。
【００４７】
図１２は、第２実施例でのカメラ撮影保存処理を示したフローチャートであり、上述した図７のフローに代わって実行開始される。
先ず、ＣＰＵ１１は、回動カメラ２１を起動させたのち（ステップＢ１）、その向きを検出する向き検出部をアクセスし、カメラ向きは「ＩＮ」であるかを調べる（ステップＢ２）。ここで、カメラ向きが「ＩＮ」の場合、つまり、折畳型の装置本体を開いた状態において、回動カメラ２１のレンズ系が撮影者側に向けられている場合には、回動カメラ２１のモニタ画像をメイン表示部５に表示出力させる（ステップＢ３）。
【００４８】
そして、シャッター操作に応答して（ステップＢ４でＹＥＳ）、回動カメラ２１で画像撮影が行われると（ステップＢ５）、ＣＰＵ１１は、この撮影画像を取得して画像ファイル化すると共に（ステップＢ６）、このファイル属性として「ＩＮフラグ」をセットしたのち（ステップＢ７）、この画像ファイルＧＦをフォトフォルダＦＦに記録保存させる（ステップＢ８）。以下、撮影終了が指示されるまで（ステップＢ９）、上述のステップＢ３に戻り、同様の動作が繰り返される。
【００４９】
また、回動カメラ２１の向きを判別した結果、カメラ向きが「ＯＵＴ」の場合には（ステップＢ２でＮＯ）、つまり、折畳型の装置本体を開いた状態において、回動カメラ２１のレンズ系が撮影者の反対側に向けられている場合には、回動カメラ２１のモニタ画像を反転してメイン表示部５に表示出力させる（ステップＢ１０）。そして、シャッター操作に応答して（ステップＢ１１でＹＥＳ）、回動カメラ２１で画像撮影が行われると（ステップＢ１２）、ＣＰＵ１１は、この撮影画像を取得して画像ファイル化すると共に（ステップＢ１３）、このファイル属性として「ＩＮフラグ」をリセットしたのち（ステップＢ１４）、この画像ファイルＧＦをフォトフォルダＦＦに記録保存させる（ステップＢ１５）。以下、撮影終了が指示されるまで（ステップＢ１６）、上述のステップＢ１０に戻り、同様の動作が繰り返される。
【００５０】
図１３は、第２実施例において、プロフィール情報処理の一部として、図８のステップＡ３８〜Ａ４３に相当する部分を示したフローチャートであり、図８のステップＡ３８〜Ａ４３に代わって実行される。
先ず、ＣＰＵ１１は、プロフィール情報ＰＦの編集操作に応答して画像貼り付けが指示されたかを調べ（ステップＢ２０）、それ以外の編集が指示された場合、その指示に応じて他の編集処理を実行したのち（ステップＢ２６）、この編集内容に応じてプロフィール情報（自己の個人情報）ＰＦを更新する（ステップＢ２５）。
【００５１】
また、画像貼り付けが指示された場合には（ステップＢ２０でＹＥＳ）、フォトフォルダＦＦをアクセスしてオープンさせたのち（ステップＢ２１）、このフォトフォルダＦＦに保存されている画像ファイルの中からそのファイル属性として「ＩＮフラグ」がセットされている画像ファイルを選択的に読み出し（ステップＢ２２）、その画像（自己画像）をサムネイル一覧表示させる（ステップＢ２３）。この一覧画面の中から任意の自己画像が選択指定されると（ステップＢ２４）、この自己画像をプロフィール情報ＰＦに挿入付加することによって自己の個人情報を更新する（ステップＢ２５）。
【００５２】
図１４は、第２実施例において、アドレス帳処理の一部として、図９のステップＡ５２〜Ａ５７に相当する部分を示したフローチャートであり、図９のステップＡ５２〜Ａ５７に代わって実行される。
先ず、ＣＰＵ１１は、アドレス帳データ（個人情報）の編集操作に応答して、その編集内容として画像の貼り付けが指示されたかを調べ（ステップＢ３０）、それ以外の編集が指示された場合には、他の編集処理を実行したのち（ステップＢ３６）、この編集内容に応じて当該アドレス帳データ（個人情報）を更新する（ステップＢ３５）。
【００５３】
また、画像の貼り付けが指示された場合には（ステップＢ３０でＹＥＳ）、フォトフォルダＦＦをアクセスしてオープンさせたのち（ステップＢ３１）、このフォトフォルダＦＦに保存されている各画像の中からそのファイル属性として「ＩＮフラグ」がリセットされている画像ファイルを選択的に読み出し（ステップＢ３２）、その画像（他人の人物画像）をサムネイル一覧表示させる（ステップＢ３３）。この一覧画面の中から任意の人物画像が選択指定されると（ステップＢ３４）、この人物画像を当該アドレス帳データに挿入付加することによってその個人情報を更新する（ステップＢ３５）。
【００５４】
以上のように、この第２実施例においては、上述した第１実施例と同様の効果を有するほか、表示部筐体１の上端中央部に撮影方向がユーザ側に向いたり、その反対側を向くように１８０°回動可能に装着された回動カメラ２１を設け、ＣＰＵ１１は、この回動カメラ２１の撮影方向を判別し、撮影画像にその撮影方向に応じて「ＩＮフラグ」をセットしてフォトフォルダＦＦに記憶させることにより、単一のカメラでユーザ側あるいはその反対側を撮影することができるほか、撮影方向が異なる各画像を１つのフォトフォルダＦＦに混在して保存したとしても、撮影方向別に各画像を読み出すことができる。
【００５５】
その他、撮影画像としては、静止画に限らず、動画であってもよい。また、上述した第１及び第２実施例においては、カメラ付きの携帯電話装置に適用した場合を示したが、携帯電話装置に限らず、例えば、カメラ付きのＰＤＡ・電子カメラ・電子腕時計・音楽再生機などの携帯端末装置であっても同様に適用可能である。
【図面の簡単な説明】
【００５６】
【図１】携帯端末装置として適用した携帯電話装置の外観斜視図で、（Ａ）は、折畳型の装置本体を開いた状態においてユーザ（撮影者）側から見た図、（Ｂ）は、撮影者の反対側から見た図。
【図２】携帯電話装置の基本的な構成要素を示したブロック図。
【図３】フォトフォルダＦＦを説明するための図。
【図４】プロフィール情報ＰＦを説明するための図。
【図５】アドレス帳ＡＤを説明するための図。
【図６】電源投入に伴って実行開始される携帯電話装置の全体動作を示したフローチャート。
【図７】図６に続く、カメラ撮影保存処理を示したフローチャート。
【図８】図６に続く、プロフィール情報処理を示したフローチャート。
【図９】図６に続く、アドレス帳処理を示したフローチャート。
【図１０】携帯電話装置の外観斜視図で、折畳型の装置本体を開いた状態においてユーザ（撮影者）側から見た図。
【図１１】第２実施例のフォトフォルダＦＦ及びそれに保存されている画像ファイルＧＦを説明するための図。
【図１２】第２実施例において、図７のフローに代わって実行開始されるカメラ撮影保存処理を示したフローチャート。
【図１３】第２実施例において、図８のステップＡ３８〜Ａ４３に相当する部分のプロフィール情報処理を示したフローチャート。
【図１４】第２実施例において、図９のステップＡ５２〜Ａ５７に相当する部分のアドレス帳処理を示したフローチャート。
【符号の説明】
【００５７】
１  表示部筐体
２  操作部筐体
４  キー操作部
５  メイン表示部
６  インカメラ
８  アウトカメラ
１１  ＣＰＵ
１２  記憶部
１５  電話通信部
２１  回動カメラ
ＦＦ  フォトフォルダ
ＦＦ１  自己フォルダ
ＦＦ２  人物フォルダ
ＦＦ３  一般フォルダ
ＰＦ  プロフィール情報
ＡＤ  アドレス帳
【図１】
2008034997.tif 000003
【図２】
2008034997.tif 000004
【図３】
2008034997.tif 000005
【図４】
2008034997.tif 000006
【図５】
2008034997.tif 000007
【図６】
2008034997.tif 000008
【図７】
2008034997.tif 000009
【図８】
2008034997.tif 000010
【図９】
2008034997.tif 000011
【図１０】
2008034997.tif 000012
【図１１】
2008034997.tif 000013
【図１２】
2008034997.tif 000014
【図１３】
2008034997.tif 000015
【図１４】
2008034997.tif 000016